(57)【要約】  駐車場管理システム及び運用方法が開示される。一つの変形例において、コンピュータ実装式方法は、掲載側クライアント・デバイスから掲載場所に関する位置データを受信すること、位置データに基づいて半径境界を確立すること、半径境界を使用して一つ又は複数のデータベースをフィルタリングすることであって、それにより、掲載される駐車空間の量及びプリセット期間内に予約される駐車空間の量を決定するためのフィルタリングをすること、掲載される駐車空間の量、予約される駐車空間の量、及びプリセット期間を使用して場所固有のトランザクション・レートを計算すること、場所固有のトランザクション・レートに基づいて推奨掲載価格を決定すること、及び推奨掲載価格を掲載側クライアント・デバイスに送信することを含む。
2018514890.tif 000002
【特許請求の範囲】
【請求項１】
通信ネットワークを通じて駐車場予約を管理するコンピュータ実装式方法であって、
一つ又は複数のメモリ・ユニットに記憶される一つ又は複数のデータベースにおいて、掲載場所に関する位置データを受信すること、
コンピューティング・システムの一つ又は複数のプロセッサを使用して、前記一つ又は複数のデータベースに記憶される前記位置データに基づいて半径境界を確立すること、
前記一つ又は複数のプロセッサを使用して、前記半径境界を使用して前記一つ又は複数のデータベースをフィルタリングすることであって、それにより、掲載される駐車空間の量及びプリセット期間内に予約される駐車空間の量を決定する、フィルタリングすること、
前記一つ又は複数のプロセッサを使用して、前記掲載される駐車空間の量、前記予約される駐車空間の量、及び前記プリセット期間を使用してトランザクション・レートを計算し、前記トランザクション・レートを前記一つ又は複数のデータベースに記憶すること、
前記一つ又は複数のプロセッサを使用して、前記トランザクション・レートに基づいて推奨掲載価格を決定すること、及び
一つ又は複数の通信インタフェースを使用する前記通信ネットワークを通じて、前記推奨掲載価格を掲載側クライアント・デバイスに送信することを含む、コンピュータ実装式方法。
【請求項２】
前記通信ネットワークを通じて、一つ又は複数の駐車場センサから一つ又は複数の掲載要求を受信すること、
前記通信ネットワークを通じて、一つ又は複数のブッキング側クライアント・デバイス及び自己運転車両の一つ又は複数の制御ユニットの少なくとも一方から、一つ又は複数の予約要求を受信すること、及び
前記一つ又は複数のプロセッサを使用して、前記一つ又は複数の掲載要求及び前記一つ又は複数の予約要求を使用して、前記一つ又は複数のデータベースにおいて、前記掲載される駐車空間の量及び前記予約される駐車空間の量を更新することを更に含む、請求項１に記載のコンピュータ実装式方法。
【請求項３】
前記一つ又は複数の駐車場センサは、近接性検出器、一つ又は複数のセンサ・プロセッサ、センサ通信インタフェース、及びポータブル電源を備える、請求項２に記載のコンピュータ実装式方法。
【請求項４】
前記一つ又は複数のプロセッサを使用して、前記ブッキング側クライアント・デバイス及び前記自己運転車両の前記制御ユニットの少なくとも一方から前記予約要求を受信することに応答して、バッファ期間を予約期間に付加することを更に含む、請求項２に記載のコンピュータ実装式方法。
【請求項５】
前記一つ又は複数のプロセッサを使用して、前記推奨掲載価格を決定する前に、前記一つ又は複数のデータベースに記憶される掲載価格に基づいて平均掲載価格を計算すること、及び
前記一つ又は複数のプロセッサを使用して、前記一つ又は複数のデータベースに記憶される前記トランザクション・レートを使用して掲載乗算子を計算し、前記掲載乗算子を前記平均掲載価格で乗算することによって前記推奨掲載価格を決定することを更に含む、請求項１に記載のコンピュータ実装式方法。
【請求項６】
前記掲載乗算子を計算することは、前記一つ又は複数のプロセッサを使用して、前記トランザクション・レートがレート閾値を超えると、前記一つ又は複数のデータベースに記憶される前記トランザクション・レートに対数関数を適用することを含む、請求項５に記載のコンピュータ実装式方法。
【請求項７】
前記掲載場所の近傍の一つ又は複数のセンサからタイムスタンプ・データを受信し、前記タイムスタンプ・データを前記一つ又は複数のデータベースに記憶すること、
前記一つ又は複数のプロセッサを使用して、前記タイムスタンプ・データを使用して平均駐車時間を決定すること、及び
前記一つ又は複数の通信インタフェースを使用する前記通信ネットワークを通じて、前記平均駐車時間を使用して計算される推奨利用可能時間を前記掲載側クライアント・デバイスに送信することを更に含む、請求項１に記載のコンピュータ実装式方法。
【請求項８】
前記一つ又は複数のセンサは、一つ又は複数のブッキング側クライアント・デバイス及び自己運転車両の一つ又は複数の制御ユニットの少なくとも一方の位置決めユニットを備える、請求項７に記載のコンピュータ実装式方法。
【請求項９】
前記通信ネットワークを通じて、予約済み駐車空間を占有する車両の出庫予定に関する、ブッキング側クライアント・デバイスからのステータス更新を受信すること、
前記ステータス更新を受信することに応答して、前記ブッキング側クライアント・デバイスのリアルタイム位置を決定すること、及び
前記予約済み駐車空間の占有ステータスを確認するため、前記ブッキング側クライアント・デバイスから受信される前記ステータス更新に応答して、前記予約済み駐車空間の近傍の駐車場センサに問合せることを更に含む、請求項１に記載のコンピュータ実装式方法。
【請求項１０】
前記予約済み駐車の前記占有ステータスに基づいて前記トランザクション・レートを使用してペナルティ乗算子を計算すること、
前記ペナルティ乗算子及び掲載価格を使用してペナルティ・レートを計算すること、及び
前記通信ネットワークを通じて、前記ペナルティ・レートを前記ブッキング側クライアント・デバイス及び前記掲載側クライアント・デバイスの少なくとも一方に送信することを更に含む、請求項９に記載のコンピュータ実装式方法。
【請求項１１】
通信ネットワークを通じて駐車場予約を管理するコンピューティング・システムであって、
一つ又は複数の通信インタフェースと、
一つ又は複数のメモリ・ユニットと、
一つ又は複数のプロセッサと、を備え、前記一つ又は複数のプロセッサは、前記一つ又は複数のメモリ・ユニットに記憶されるコンピュータ可読命令であって、
前記一つ又は複数のメモリ・ユニットに記憶される一つ又は複数のデータベースにおいて、掲載場所に関する位置データを受信し、
前記一つ又は複数のデータベースに記憶される前記位置データに基づいて半径境界を確立し、
掲載される駐車空間の量及びプリセット期間内に予約される駐車空間の量を決定するため、前記半径境界を使用して前記一つ又は複数のデータベースをフィルタリングし、
前記掲載される駐車空間の量、前記予約される駐車空間の量、及び前記プリセット期間を使用してトランザクション・レートを計算し、前記トランザクション・レートを前記一つ又は複数のデータベースに記憶し、
前記トランザクション・レートに基づいて推奨掲載価格を決定し、
前記一つ又は複数の通信インタフェースを使用する前記通信ネットワークを通じて、前記推奨掲載価格を掲載側クライアント・デバイスに送信する
ための、コンピュータ可読命令を実行する、システム。
【請求項１２】
一つ又は複数の駐車場センサを更に備え、
前記一つ又は複数のプロセッサは、コンピュータ可読命令であって、
前記通信ネットワークを通じて、前記一つ又は複数の駐車場センサから一つ又は複数の掲載要求を受信し、
前記通信ネットワークを通じて、一つ又は複数のブッキング側クライアント・デバイス及び自己運転車両の一つ又は複数の制御ユニットの少なくとも一方から、一つ又は複数の予約要求を受信し、
前記一つ又は複数の掲載要求及び前記一つ又は複数の予約要求を使用して、前記一つ又は複数のデータベースにおいて、前記掲載される駐車空間の量及び前記予約される駐車空間の量を更新するための、コンピュータ可読命令を更に実行する、請求項１１に記載のシステム。
【請求項１３】
前記一つ又は複数の駐車場センサは、
近接性検出器と、
一つ又は複数のセンサ・プロセッサと、
センサ通信インタフェースと、
ポータブル電源と、を備える、請求項１２に記載のシステム。
【請求項１４】
前記一つ又は複数のプロセッサは、コンピュータ可読命令であって、前記ブッキング側クライアント・デバイス及び前記自己運転車両の前記制御ユニットの少なくとも一方から前記予約要求を受信することに応答して、バッファ期間を予約期間に付加するための、コンピュータ可読命令を更に実行する、請求項１２に記載のシステム。
【請求項１５】
前記一つ又は複数のプロセッサは、コンピュータ可読命令であって、
前記推奨掲載価格を決定する前に、前記一つ又は複数のデータベースに記憶される掲載価格に基づいて平均掲載価格を計算し、
前記一つ又は複数のデータベースに記憶される前記トランザクション・レートを使用して掲載乗算子を計算し、前記掲載乗算子を前記平均掲載価格で乗算することによって前記推奨掲載価格を決定するための、コンピュータ可読命令を更に実行する、請求項１１に記載のシステム。
【請求項１６】
前記一つ又は複数のプロセッサは、コンピュータ可読命令であって、前記トランザクション・レートがレート閾値を超えると、前記一つ又は複数のデータベースに記憶される前記トランザクション・レートに対数関数を適用することによって、前記掲載乗算子を計算するための、コンピュータ可読命令を更に実行する、請求項１５に記載のシステム。
【請求項１７】
前記一つ又は複数のプロセッサは、コンピュータ可読命令であって、
前記掲載場所の近傍の一つ又は複数のセンサからタイムスタンプ・データを受信し、前記タイムスタンプ・データを前記一つ又は複数のデータベースに記憶し、
前記タイムスタンプ・データを使用して平均駐車時間を決定すること、及び
前記一つ又は複数の通信インタフェースを使用する前記通信ネットワークを通じて、前記平均駐車時間を使用して計算される推奨利用可能時間を前記掲載側クライアント・デバイスに送信するための、コンピュータ可読命令を更に実行する、請求項１１に記載のシステム。
【請求項１８】
前記一つ又は複数のセンサは、一つ又は複数のブッキング側クライアント・デバイス又は自己運転車両の一つ又は複数の制御ユニットの少なくとも一方の位置決めユニットを備える、請求項１７に記載のシステム。
【請求項１９】
前記一つ又は複数のプロセッサは、コンピュータ可読命令であって、
前記通信ネットワークを通じて、予約済み駐車空間を占有する車両の出庫ステータスに関する、ブッキング側クライアント・デバイスからのステータス更新を受信し、
前記ステータス更新を受信することに応答して、前記ブッキング側クライアント・デバイスのリアルタイム位置を決定し、
前記予約済み駐車空間の占有ステータスを確認するため、前記ブッキング側クライアント・デバイスから受信される前記ステータス更新に応答して、前記予約済み駐車空間の近傍の駐車場センサに問合せるための、コンピュータ可読命令を更に実行する、請求項１１に記載のシステム。
【請求項２０】
前記一つ又は複数のプロセッサは、コンピュータ可読命令であって、
前記予約済み駐車の前記占有ステータスに基づいて前記トランザクション・レートを使用してペナルティ乗算子を計算し、
前記ペナルティ乗算子及び掲載価格を使用してペナルティ・レートを計算し、
前記通信ネットワークを通じて、前記ペナルティ・レートを前記ブッキング側クライアント・デバイス及び前記掲載側クライアント・デバイスの少なくとも一方に送信するための、コンピュータ可読命令を更に実行する、請求項１９に記載のシステム。
【請求項２１】
非一時的コンピュータ可読媒体であって、一つ又は複数のプロセッサによって実行される、非一時的コンピュータ可読媒体上に記憶されるコンピュータ実行可能命令を含み、前記命令は、
一つ又は複数のメモリ・ユニットに記憶される一つ又は複数のデータベースにおいて、掲載場所に関する位置データを受信すること、
コンピューティング・システムの前記一つ又は複数のプロセッサを使用して、前記一つ又は複数のデータベースに記憶される前記位置データに基づいて半径境界を確立すること、
前記一つ又は複数のプロセッサを使用して、前記半径境界を使用して前記一つ又は複数のデータベースをフィルタリングすることであって、それにより、掲載される駐車空間の量及びプリセット期間内に予約される駐車空間の量を決定する、フィルタリングすること、
前記一つ又は複数のプロセッサを使用して、前記掲載される駐車空間の量、前記予約される駐車空間の量、及び前記プリセット期間を使用してトランザクション・レートを計算し、前記トランザクション・レートを前記一つ又は複数のデータベースに記憶すること、
前記一つ又は複数のプロセッサを使用して、前記トランザクション・レートに基づいて推奨掲載価格を決定すること、及び
一つ又は複数の通信インタフェースを使用する前記通信ネットワークを通じて、前記推奨掲載価格を掲載側クライアント・デバイスに送信することを含む、非一時的コンピュータ可読媒体。
【請求項２２】
前記命令は、
前記通信ネットワークを通じて、一つ又は複数の駐車場センサから一つ又は複数の掲載要求を受信すること、
前記通信ネットワークを通じて、一つ又は複数のブッキング側クライアント・デバイス及び自己運転車両の一つ又は複数の制御ユニットの少なくとも一方から、一つ又は複数の予約要求を受信すること、及び
前記一つ又は複数のプロセッサを使用して、前記一つ又は複数の掲載要求及び前記一つ又は複数の予約要求を使用して、前記一つ又は複数のデータベースにおいて、前記掲載される駐車空間の量及び前記予約される駐車掲載の量を更新することを更に含む、請求項２１に記載の非一時的コンピュータ可読媒体。
【請求項２３】
前記一つ又は複数の駐車場センサは、近接性検出器、一つ又は複数のセンサ・プロセッサ、センサ通信インタフェース、及びポータブル電源を備える、請求項２２に記載の非一時的コンピュータ可読媒体。
【請求項２４】
前記命令は、前記一つ又は複数のプロセッサを使用して、前記ブッキング側クライアント・デバイス及び前記自己運転車両の前記制御ユニットの少なくとも一方から前記予約要求を受信することに応答して、バッファ期間を予約期間に付加することを更に含む、請求項２２に記載の非一時的コンピュータ可読媒体。
【請求項２５】
前記命令は、
前記一つ又は複数のプロセッサを使用して、前記推奨掲載価格を決定する前に、前記一つ又は複数のデータベースに記憶される掲載価格に基づいて平均掲載価格を計算すること、及び
前記一つ又は複数のプロセッサを使用して、前記一つ又は複数のデータベースに記憶される前記トランザクション・レートを使用して掲載乗算子を計算し、前記掲載乗算子を前記平均掲載価格で乗算することによって前記推奨掲載価格を決定することを更に含む、請求項２１に記載の非一時的コンピュータ可読媒体。
【請求項２６】
前記命令は、前記一つ又は複数のプロセッサを使用して、前記トランザクション・レートがレート閾値を超えると、前記一つ又は複数のデータベースに記憶される前記トランザクション・レートに対数関数を適用することを含む、前記掲載乗算子を計算することを更に含む、請求項２５に記載の非一時的コンピュータ可読媒体。
【請求項２７】
前記命令は、
前記掲載場所の近傍の一つ又は複数のセンサからタイムスタンプ・データを受信し、前記タイムスタンプ・データを前記一つ又は複数のデータベースに記憶すること、
前記一つ又は複数のプロセッサを使用して、前記タイムスタンプ・データを使用して平均駐車時間を決定すること、及び
前記一つ又は複数の通信インタフェースを使用する前記通信ネットワークを通じて、前記平均駐車時間を使用して計算される推奨利用可能時間を前記掲載側クライアント・デバイスに送信することを更に含む、請求項２１に記載の非一時的コンピュータ可読媒体。
【請求項２８】
前記一つ又は複数のセンサは、一つ又は複数のブッキング側クライアント・デバイス及び自己運転車両の一つ又は複数の制御ユニットの少なくとも一方の位置決めユニットを備える、請求項２７に記載の非一時的コンピュータ可読媒体。
【請求項２９】
前記命令は、
前記通信ネットワークを通じて、予約済み駐車空間を占有する車両の出庫予定に関する、ブッキング側クライアント・デバイスからのステータス更新を受信すること、
前記ステータス更新を受信することに応答して、前記ブッキング側クライアント・デバイスのリアルタイム位置を決定すること、及び
前記予約済み駐車空間の占有ステータスを確認するため、前記ブッキング側クライアント・デバイスから受信される前記ステータス更新に応答して、前記予約済み駐車空間の近傍の駐車場センサに問合せることを更に含む、請求項２１に記載の非一時的コンピュータ可読媒体。
【請求項３０】
前記命令は、
前記予約済み駐車の前記占有ステータスに基づいて前記トランザクション・レートを使用してペナルティ乗算子を計算すること、
前記ペナルティ乗算子及び掲載価格を使用してペナルティ・レートを計算すること、及び
前記通信ネットワークを通じて、前記ペナルティ・レートを前記ブッキング側クライアント・デバイス及び前記掲載側クライアント・デバイスの少なくとも一方に送信することを更に含む、請求項２９に記載の非一時的コンピュータ可読媒体。
【発明の詳細な説明】
【技術分野】
【０００１】
本出願は、２０１５年５月１５日に出願された米国仮出願第６２／１６２，５７４号の利益を主張し、その全体が参照により本出願に組込まれる。
【０００２】
本開示は、一般に、車両駐車場管理の分野に関し、より具体的には、オンライン駐車場市場及びその運用方法に関する。
【背景技術】
【０００３】
人口密度の高い環境において車両を駐車することは、自由な駐車空間の不足及び個人駐車ガレージ又は駐車場の費用によって、しばしば苦い経験となる。これは、大きな自治体（例えば、ニューヨーク市、サンフランシスコ等）の中心街等の人口の多い都市環境において特に当てはまる。更に、駐車場は、スポーツ・スタジアム、コンサート・ホール、アミューズメント・パーク、又はビーチフロント等に近隣の目的地又はイベント会場の近くでしばしば需要がある。
【０００４】
更に、不動産価格の高騰により、土地所有者の多くが今までにない方法で自己の不動産資産から現金を得ることを考えるようになってきた。例えば、住宅所有者は、オンライン住宅レンタルプラットフォームを使用して、観光旅行者又は旅行者に対して自分の住宅内の部屋をしばしば貸出し得る。
【０００５】
したがって、土地所有者が、利用可能な自分の駐車空間（複数可）を貸出すことを、好都合に、安全に、効果的に可能にする駐車場管理システムについての、また、駐車場を探す運転者がこうした駐車空間を予約するための解決策が必要とされる。更に、こうした解決策は、土地所有者が、自分の駐車空間について適切なレンタル価格を決定することを支援可能であるべきである。同様に、こうした解決策は、駐車される車両の適切な入替え、及び空の駐車空間が迅速に且つ効率的に占有されることを保証することによって、土地所有者が、こうした資産から自分の予想利益を最大にすることを支援できるべきである。更に、こうした解決策は、同様に、貸出される駐車空間を、その空間を必要とする土地所有者を不利にしないよう運転者が適時に空けることを保証し、運転者が自分の割当てられた駐車時間を超えて留まるときに適切なペナルティ処置を提案すべきである。
【発明の概要】
【０００６】
駐車場管理システム及び運用方法が開示される。通信ネットワークを通じて駐車場予約を管理するコンピュータ実装式方法は、一つ又は複数のメモリ・ユニットに記憶される一つ又は複数のデータベースにおいて、掲載場所に関する位置データを受信することを含み得る。この方法は、同様に、コンピューティング・システムの一つ又は複数のプロセッサを使用して、一つ又は複数のデータベースに記憶される位置データに基づいて半径境界を確立すること、及び一つ又は複数のプロセッサを使用して、一つ又は複数の半径境界を使用してデータベースをフィルタリングし、それにより、掲載される駐車空間の量及びプリセット期間内に予約される駐車空間の量を決定する、ことを含み得る。この方法は、同様に、一つ又は複数のプロセッサを使用して、掲載される駐車空間の量、予約される駐車空間の量、及びプリセット期間を使用してトランザクション・レートを計算し、トランザクション・レートを一つ又は複数のデータベースに記憶することを含み得る。この方法は、同様に、一つ又は複数のプロセッサを使用して、トランザクション・レートに基づいて推奨掲載価格を決定すること、及び一つ又は複数の通信インタフェースを使用する通信ネットワークを通じて、推奨掲載価格を掲載側クライアント・デバイスに送信することを含み得る。
【０００７】
この方法は、同様に、通信ネットワークを通じて、一つ又は複数の駐車場センサから一つ又は複数の掲載要求を受信することを含み得る。方法は、同様に、通信ネットワークを通じて、一つ又は複数のブッキング側クライアント・デバイス及び自己運転車両の一つ又は複数の制御ユニットの少なくとも一方から、一つ又は複数の予約要求を受信すること、及び一つ又は複数のプロセッサを使用して、一つ又は複数の掲載要求及び一つ又は複数の予約要求を使用して、一つ又は複数のデータベースにおいて、掲載される駐車空間の量及び予約される駐車空間の量を更新することを更に含み得る。
【０００８】
一つ又は複数の駐車場センサは、近接性検出器、一つ又は複数のセンサ・プロセッサ、センサ通信インタフェース、及びポータブル電源を含み得る。一つ又は複数の駐車場センサは、同様に、ブッキング側クライアント・デバイスまたは自己運転車両の制御ユニットの位置決めユニットを含み得る。
【０００９】
この方法は、同様に、一つ又は複数のプロセッサを使用して、ブッキング側クライアント・デバイス及び自己運転車両の制御ユニットの少なくとも一方から予約要求を受信することに応答して、バッファ期間を予約期間に付加することを含み得る。この方法は、同様に、一つ又は複数のプロセッサを使用して、推奨掲載価格を決定する前に、一つ又は複数のデータベースに記憶される掲載価格に基づいて平均掲載価格を計算すること、及び一つ又は複数のプロセッサを使用して、一つ又は複数のデータベースに記憶されるトランザクション・レートを使用して掲載乗算子を計算し、掲載乗算子を平均掲載価格で乗算することによって推奨掲載価格を決定することを含み得る。
【００１０】
この方法は、同様に、一つ又は複数のプロセッサを使用して、トランザクション・レートがレート閾値を超えると、一つ又は複数のデータベースに記憶されるトランザクション・レートに対数関数を適用することによって掲載乗算子を計算することを含み得る。この方法は、同様に、掲載場所の近傍の一つ又は複数のセンサからタイムスタンプ・データを受信し、タイムスタンプ・データを一つ又は複数のデータベースに記憶することを含み得る。この方法は、同様に、一つ又は複数のプロセッサを使用して、タイムスタンプ・データを使用して平均駐車時間を決定すること、及び一つ又は複数の通信インタフェースを使用する通信ネットワークを通じて、平均駐車時間を使用して計算される推奨利用可能時間を掲載側クライアント・デバイスに送信することを含み得る。一つ又は複数のセンサは、一つ又は複数のブッキング側クライアント・デバイス及び自己運転車両の一つ又は複数の制御ユニットの少なくとも一方の位置決めユニットを含み得る。
【００１１】
この方法は、同様に、通信ネットワークを通じて、予約済み駐車空間を占有する車両の出庫予定に関する、ブッキング側クライアント・デバイスからのステータス更新を受信することを含み得る。この方法は、同様に、ステータス更新を受信することに応答して、ブッキング側クライアント・デバイスのリアルタイム位置を決定すること、及び予約済み駐車空間の占有ステータスを確認するため、ブッキング側クライアント・デバイスから受信されるステータス更新に応答して、予約済み駐車空間の近傍の駐車場センサに問合せることを含み得る。
【００１２】
この方法は、同様に、予約済み駐車の占有ステータスに基づいてトランザクション・レートを使用してペナルティ乗算子を計算すること、ペナルティ乗算子及び掲載価格を使用してペナルティ・レートを計算すること、及び通信ネットワークを通じて、ペナルティ・レートをブッキング側クライアント・デバイス及び掲載側クライアント・デバイスの少なくとも一方に送信することを含み得る。
【００１３】
通信ネットワークを通じて駐車場予約を管理するコンピューティング・システムは、一つ又は複数の通信インタフェースと、一つ又は複数のメモリ・ユニットと、一つ又は複数のプロセッサとを含み得、一つ又は複数のプロセッサは、一つ又は複数のメモリ・ユニットに記憶されるコンピュータ可読命令であって、一つ又は複数のメモリ・ユニットに記憶される一つ又は複数のデータベースにおいて、掲載場所に関する位置データを受信し、一つ又は複数のデータベースに記憶される位置データに基づいて半径境界を確立し、掲載される駐車空間の量及びプリセット期間内に予約されている駐車空間の量を決定するため、半径境界を使用して一つ又は複数のデータベースをフィルタリングするための、コンピュータ可読命令を実行する。
【００１４】
コンピューティング・システムは、同様に、掲載される駐車空間の量、予約されている駐車空間の量、及びプリセット期間を使用してトランザクション・レートを計算し、トランザクション・レートを一つ又は複数のデータベースに記憶し、トランザクション・レートに基づいて推奨掲載価格を決定し、一つ又は複数の通信インタフェースを使用する通信ネットワークを通じて、推奨掲載価格を掲載側クライアント・デバイスに送信し得る。
【００１５】
非一時的コンピュータ可読媒体は、一つ又は複数のプロセッサによって実行される、非一時的コンピュータ可読媒体上に記憶されるコンピュータ実行可能命令を含み得、命令は、一つ又は複数のメモリ・ユニットに記憶される一つ又は複数のデータベースにおいて、掲載場所に関する位置データを受信するステップと、コンピューティング・システムの一つ又は複数のプロセッサを使用して、一つ又は複数のデータベースに記憶される位置データに基づいて半径境界を確立するステップと、一つ又は複数のプロセッサを使用して、半径境界を使用して一つ又は複数のデータベースをフィルタリングするステップであって、それにより、掲載される駐車空間の量及びプリセット期間内に予約される駐車空間の量を決定する、フィルタリングするステップと、を含む。命令は、一つ又は複数のプロセッサを使用して、掲載される駐車空間の量、予約される駐車空間の量、及びプリセット期間を使用してトランザクション・レートを計算し、トランザクション・レートを一つ又は複数のデータベースに記憶するステップと、一つ又は複数のプロセッサを使用して、トランザクション・レートに基づいて推奨掲載価格を決定するステップと、一つ又は複数の通信インタフェースを使用する通信ネットワークを通じて、推奨掲載価格を掲載側クライアント・デバイスに送信するステップと、を含み得る。
【００１６】
本明細書で開示される方法、デバイス、又はシステムは、種々の異なる方法で実装されてもよい。或る変形例は、先に述べたものに加えて又はその代わりに他のステップ又は要素を有する。ステップ又は要素は、添付図面から又は次に続く詳細な説明から当業者に明らかになるであろう。
【図面の簡単な説明】
【００１７】
【図１】駐車場管理システムを示す図である。
【図２Ａ】駐車場管理システムのサーバの変形例を示す図である。
【図２Ｂ】駐車場管理システムのクライアント・デバイスの変形例を示す図である。
【図２Ｃ】駐車場管理システムの駐車場センサの変形例を示す図である。
【図３Ａ】駐車場管理システムに接続される掲載側クライアント・デバイス上で表示される新しい掲載グラフィカル・ユーザ・インタフェース（ＧＵＩ）を示す図である。
【図３Ｂ】駐車場管理システムに接続される掲載側クライアント・デバイス上で表示される掲載情報ＧＵＩを示す図である。
【図４Ａ】駐車場管理システムに接続されるブッキング側クライアント・デバイス上で表示される予約要求ＧＵＩを示す図である。
【図４Ｂ】駐車場管理システムに接続されるブッキング側クライアント・デバイス上で表示される予約ステータスＧＵＩを示す図である。
【図５】掲載場所において駐車場センサによって検出されるブッキング車両の概略を示す図である。
【図６Ａ】駐車場管理システムの一つ又は複数のデータベースに記憶される掲載データベース表の変形例を示す図である。
【図６Ｂ】駐車場管理システムの一つ又は複数のデータベースに記憶される予約データベース表の変形例を示す図である。
【図７】駐車場管理システムによって実行されるコンピュータ可読命令及びアプリケーション・ロジックの例を示す図である。
【図８】駐車場管理システムに接続されるディスプレイ・コンポーネント上で表示されるマップ・オーバビューＧＵＩの変形例を示す図である。
【図９】駐車場管理システムの運用方法を示す図である。
【発明を実施するための形態】
【００１８】
図１は、駐車場管理システム１００が、通信ネットワーク１１８を通じて、一つ又は複数のデータベース１０８、アプリケーション・サーバ１１０、ウェブ・サーバ１１２、サーバ負荷バランサ１１４、クラウド負荷バランサ１１６、又はその組合せに通信可能に結合される、一つ又は複数の掲載側クライアント・デバイス１０２、ブッキング側クライアント・デバイス１０４、駐車場センサ１０６、又はその組合せを含み得ることを示す。
【００１９】
通信ネットワーク１１８は、地域、国、大陸、又はその組合せをカバーする任意のマルチホップ・ネットワークであり得る。通信ネットワーク１１８の例は、３Ｇネットワーク、４Ｇネットワーク、ロング・ターム・エボリューション（ＬＴＥ：ｌｏｎｇ−ｔｅｒｍ  ｅｖｏｌｕｔｉｏｎ）ネットワーク等のセルラー・ネットワーク；ソニック通信ネットワーク；衛星ネットワーク；インターネット等のワイド・エリア・ネットワーク、又はその組合せを含み得る。ウェブ・サーバ１１２、アプリケーション・サーバ１１０、サーバ負荷バランサ１１４、クラウド負荷バランサ１１６、又はその組合せは、接続１２０を通して通信ネットワーク１１８に通信可能に結合され得る。接続１２０は、有線接続、無線接続、又はその組合せであり得る。
【００２０】
駐車場管理システム１００又はその中の一部分は、Ｗｉｎｄｏｗｓ  Ａｚｕｒｅ（商標）ｃｌｏｕｄ、Ａｍａｚｏｎ  Ｅｌａｓｔｉｃ  Ｃｏｍｐｕｔｅｒ  ｃｌｏｕｄ（Ａｍａｚｏｎ  ＥＣ２）（商標）、Ｇｏｏｇｌｅ  Ａｐｐ  Ｅｎｇｉｎｅ（商標）、又はその組合せ等のコンピューティング・クラウド１２２によってホストされるウェブ及び／又はモバイル・アプリケーションを含み得る。例えば、駐車場管理システム１００は、一つ又は複数のアプリケーション・サーバ１１０、ウェブ・サーバ１１２、又はその組合せによってホストされるバーチャル・マシン上で実行されるウェブ及び／又はモバイル・アプリケーションを含み得る。一変形例において、コンピューティング・クラウド１２２は、一つ又は複数のアプリケーション・サーバ１１０、ウェブ・サーバ１１２、データベース１０８、サーバ負荷バランサ１１４、クラウド負荷バランサ、その中の所定の部分、或はその組合せを含み得る。駐車場管理システム１００は、一つ又は複数のアプリケーション・サーバ１１０、ウェブ・サーバ１１２、データベース１０８、サーバ負荷バランサ１１４、クラウド負荷バランサ１１６、又はその組合せによって提供される処理及び記憶資源に依存し得る。
【００２１】
クラウド負荷バランサ１１６は、トラフィック負荷バランシングを提供し、複数のウェブ・サーバ１１２の間でクライアント要求を分配し得る。ウェブ・サーバ１１２は、ＨＴＴＰ要求を扱うため、ＨＴＴＰサーバを含み得る又はコンピューティング・クラウド１２２に依存し得る。ウェブ・サーバ１１２は、同様に、コンピューティング・クラウド１２２によってインスタンス化（具体化）され管理され得る。
【００２２】
サーバ負荷バランサ１１４は、ウェブ・サーバ１１２と一つ又は複数のアプリケーション・サーバ１１０との間の相互作用をバランスさせ得る。アプリケーション・サーバ１１０は、アプリケーション・ロジックを扱い、データベース１０８と相互作用して、データ及びアプリケーション状態を記憶し得る。ウェブ・サーバ１１２、アプリケーション・サーバ１１０、又はその組合せは、ラック・マウント・サーバ、クラスタ・サーバ、ブレード・サーバ、メイン・フレーム、専用デスクトップ又はラップトップ、又はその組合せを含み得る。
【００２３】
データベース１０８は、一つ又は複数のＳＱＬデータベースであり得る。アプリケーション・サーバ１１０は、ＳＱＬデータベースを管理する一つ又は複数のＳＱＬサーバとインタフェースし得る。アプリケーション・データ及びアプリケーション状態は、クラウド管理式ＳＱＬデータベースに記憶され得る。他の変形例において、データベース１０８は、ＭｏｎｇｏＤＢ（登録商標）データベース等のＮｏＳＱＬデータベースを含むドキュメント指向データベースであり得る。
【００２４】
アプリケーション・サーバ１１０、ウェブ・サーバ１１２、クラウド負荷バランサ１１６、サーバ負荷バランサ１１４、及びクラウドＳＱＬデータベース１０８は、米国特許第９，１７６，７７３号において論じる、サーバ、負荷バランサ、及びデータベースのうちの任意のものであり得、その特許の内容は、参照により本明細書にその全体が組込まれる。
【００２５】
掲載側クライアント・デバイス１０２、ブッキング側クライアント・デバイス１０４、又はその組合せは、スマートフォン、タブレット、ラップトップ、スマートウォッチ、個人娯楽デバイス、又はその組合せなどのポータブル・コンピューティング・デバイスを含み得る。他の変形例において、掲載側クライアント・デバイス１０２、ブッキング側クライアント・デバイス１０４、又はその組合せは、デスクトップ・コンピュータを含み得る。掲載側クライアント・デバイス１０２が、駐車場管理システム１００のユーザによって使用されて、駐車場管理システム１００の他のユーザによるレンタル又はリースのための駐車空間を掲載し得る。ブッキング側クライアント・デバイス１０４が、駐車場管理システム１００のユーザによって使用されて、駐車場管理システム１００に関するレンタル又はリースのために掲載される駐車空間をブッキングし得る。
【００２６】
駐車場管理システム１００は、同様に、一つ又は複数の駐車場センサ１０６を含み得る。駐車場センサ１０６は、掲載場所１２４に位置し得る。一変形例において、駐車場センサ１０６は、図２Ｃに示す検知コンポーネントを含み得る。他の変形例において、駐車場センサ１０６は、掲載側クライアント・デバイス１０２、ブッキング側クライアント・デバイス１０４、又はその中の一部等のクライアント・デバイスを指し得る。
【００２７】
駐車場管理システム１００は、自己運転車両１２８の制御ユニット１２６に通信可能に結合され得る。例えば、駐車場管理システム１００は、自己運転車両１２８の制御ユニット１２６からデータ又はクライアント要求を受信し得る。自己運転車両１２８は、自律的又は半自律的運転モードを有する自動車又は発電機船を含み得る。例えば、自己運転車両１２８は、米国特許第９，１２０，４８５号、米国特許第８，９６５，６２１号、及び米国特許第８，９５４，２１７号において開示され論じられる車両であり得、それらの特許の内容は、参照により本明細書にその全体が組込まれる。
【００２８】
図２Ａは、駐車場管理システム１００のサーバ２００が一つ又は複数のプロセッサ２０２、メモリ２０４、及び通信インタフェース２０６を有し得ることを示す。プロセッサ２０２は、高速バス２０８を通してメモリ２０４及び通信インタフェース２０６に結合され得る。サーバ２００は、図１のウェブ・サーバ１１２、アプリケーション・サーバ１１０、又はその組合せのうちの任意のものを示し得る。
【００２９】
プロセッサ２０２は、一つ又は複数の中央処理ユニット（ＣＰＵ：ｃｅｎｔｒａｌ  ｐｒｏｃｅｓｓｉｎｇ  ｕｎｉｔ）、グラフィカル処理ユニット（ＧＰＵ：ｇｒａｐｈｉｃａｌ  ｐｒｏｃｅｓｓｉｎｇ  ｕｎｉｔ）、特定用途向け集積回路（ＡＳＩＣ：Ａｐｐｌｉｃａｔｉｏｎ−Ｓｐｅｃｉｆｉｃ  Ｉｎｔｅｇｒａｔｅｄ  Ｃｉｒｃｕｉｔ）、フィールドプログラマブル・ゲート・アレイ（ＦＰＧＡ：ｆｉｅｌｄ−ｐｒｏｇｒａｍｍａｂｌｅ  ｇａｔｅ  ａｒｒａｙ）、又はその組合せを含み得る。プロセッサ２０２は、メモリ２０４に記憶されるソフトウェア又はコンピュータ可読命令を実行して、本明細書で述べる方法又はオペレーションを実行し得る。プロセッサ２０２は、幾つかの異なる方法で実装され得る。例えば、プロセッサ２０２は、一つ又は複数の埋込み式プロセッサ、プロセッサ・コア、マイクロプロセッサ、ロジック回路、ハードウェア有限状態機械（ＦＳＭ：ｆｉｎｉｔｅ  ｓｔａｔｅ  ｍａｃｈｉｎｅ）、デジタル信号プロセッサ（ＤＳＰ：ｄｉｇｉｔａｌ  ｓｉｇｎａｌ  ｐｒｏｓｅｓｓｏｒ）、又はその組合せを含み得る。例えば、プロセッサ２０２は６４ビット・プロセッサであり得る。
【００３０】
メモリ２０４は、ソフトウェア、データ、ログ、又はその組合せを記憶し得る。メモリ２０４は内部メモリであり得る。代替的に、メモリ２０４は、記憶ノード、クラウド・サーバ、又は記憶サーバ上に存在するメモリ等の外部メモリであり得る。メモリ２０４は、揮発性メモリ又は不揮発性メモリであり得る。例えば、メモリ２０４は、不揮発性ランダム・アクセス・メモリ（ＮＶＲＡＭ：ｎｏｎ−ｖｏｌａｔｉｌｅ  ｒａｎｄｏｍ  ａｓｓｅｓｓ  ｍｅｍｏｒｙ）、フラッシュ・メモリ、ディスク・ストレージ等の不揮発性ストレージ、又は、スタティック・ランダム・アクセス・メモリ（ＳＲＡＭ：ｓｔａｔｉｃ  ｒａｎｄｏｍ  ａｃｃｅｓｓ  ｍｅｍｏｒｙ）等の揮発性ストレージであり得る。メモリ２０４は、サーバ２００用の主ストレージ・ユニットであり得る。
【００３１】
通信インタフェース２０６は、一つ又は複数の有線又は無線通信インタフェースを含み得る。例えば、通信インタフェース２０６は、サーバ２００のネットワーク・インタフェース・カードであり得る。通信インタフェース２０６は、無線モデム又は有線モデムであり得る。一変形例において、通信インタフェース２０６はＷｉＦｉモデムであり得る。他の変形例において、通信インタフェース２０６は、３Ｇモデム、４Ｇモデム、ＬＴＥモデム、Ｂｌｕｅｔｏｏｔｈ（登録商標）コンポーネント、ラジオ受信機、アンテナ、又はその組合せであり得る。サーバ２００は、通信インタフェース２０６を使用して通信ネットワーク１１８に接続され得る又は通信ネットワーク１１８と通信可能に結合され得る。サーバ２００は、通信インタフェース２０６を使用してパケット又はメッセージを送信又は受信し得る。
【００３２】
図２Ｂは、駐車場管理システム１００のクライアント・デバイス２１０が、クライアント・プロセッサ２１２、クライアント・メモリ２１４、クライアント通信ユニット２１６、全地球測位システム（ＧＰＳ：ｇｌｏｂａｌ  ｐｏｓｉｔｉｏｎｉｎｇ  ｓｙｓｔｅｍ）受信機を有する場所ユニット２１８、及びディスプレイ２２０を有し得ることを示す。クライアント・プロセッサ２１２は、高速バス２２２を通してクライアント・メモリ２１４、クライアント通信ユニット２１６、場所ユニット２１８に結合され得る。
【００３３】
クライアント・プロセッサ２１２は、一つ又は複数のＣＰＵ、ＧＰＵ、ＡＳＩＣ、ＦＰＧＡ、又はその組合せを含み得る。クライアント・プロセッサ２１２は、クライアント・メモリ２１４に記憶されるソフトウェアを実行して、本明細書で述べる方法を実行し得る。クライアント・プロセッサ２１２は、幾つかの異なる方法で実装され得る。例えば、クライアント・プロセッサ２１２は、埋込み式プロセッサ、プロセッサ・コア、マイクロプロセッサ、ロジック回路、ハードウェアＦＳＭ、ＤＳＰ、又はその組合せであり得る。より特定の例として、クライアント・プロセッサ２１２は、ＡＲＭ（登録商標）プロセッサ等の３２ビット・プロセッサであり得る。
【００３４】
クライアント・メモリ２１４は、ソフトウェア、データ、ログ、又はその組合せを記憶し得る。一変形例において、クライアント・メモリ２１４は内部メモリであり得る。他の変形例において、クライアント・メモリ２１４は、外部記憶ユニットであり得る。クライアント・メモリ２１４は、揮発性メモリ又は不揮発性メモリであり得る。例えば、クライアント・メモリ２１４は、ＮＶＲＡＭ、フラッシュ・メモリ、ディスク・ストレージ等の不揮発性ストレージ、又は、ＳＲＡＭ等の揮発性ストレージであり得る。クライアント・メモリ２１４は、クライアント・デバイス２１０用の主ストレージ・ユニットであり得る。
【００３５】
クライアント通信ユニット２１６は、有線又は無線通信インタフェースであり得る。例えば、クライアント通信ユニット２１６は、クライアント・デバイス２１０のネットワーク・インタフェース・カードであり得る。クライアント通信ユニット２１６は、無線モデム又は有線モデムであり得る。一変形例において、クライアント通信ユニット２１６はＷｉＦｉモデムであり得る。他の変形例において、クライアント通信ユニット２１６は、３Ｇモデム、４Ｇモデム、ＬＴＥモデム、Ｂｌｕｅｔｏｏｔｈ（登録商標）コンポーネント、ラジオ受信機、アンテナ、又はその組合せであり得る。クライアント・デバイス２１０は、クライアント通信ユニット２１６を使用して通信ネットワーク１１８に接続され得る又は通信ネットワーク１１８と通信可能に結合され得る。クライアント・デバイス２１０は、クライアント通信ユニット２１６を使用してパケット又はメッセージを送信又は受信し得る。
【００３６】
場所ユニット２１８は、ＧＰＳ受信機等のＧＰＳコンポーネント、慣性ユニット、磁束計、コンパス、又はその組合せを含み得る。場所ユニット２１８は、ＧＰＳ衛星からＧＰＳ信号を受信し得る。慣性ユニットは、３軸加速度計を含む多軸加速度計、３軸ＭＥＭＳジャイロスコープを含む多軸ジャイロスコープ、又はその組合せとして実装され得る。
【００３７】
ディスプレイ２２０は、液晶ディスプレイ（ＬＣＤ：ｌｉｑｕｉｄ  ｃｒｙｓｔａｌ  ｄｉｓｐｌａｙ）、薄膜トランジスタ（ＴＦＴ：ｔｈｉｎ  ｆｉｌｍ  ｔｒａｎｓｉｓｔｏｒ）ディスプレイ、有機発光ダイオード（ＯＬＥＤ：ｏｒｇａｎｉｃ  ｌｉｇｈｔ−ｅｍｉｔｔｉｎｇ  ｄｉｏｄｅ）ディスプレイ、又はアクティブ・マトリクス有機発光ダイオード（ＡＭＯＬＥＤ：ａｃｔｉｖｅ−ｍａｔｒｉｘ  ｏｒｇａｎｉｃ  ｌｉｇｈｔ−ｅｍｉｔｔｉｎｇ  ｄｉｏｄｅ）ディスプレイ等のタッチスクリーン・ディスプレイであり得る。或る変形例において、ディスプレイ２２０は、レティーナ・ディスプレイ、ハプティック・タッチスクリーン、又はその組合せであり得る。例えば、クライアント・デバイス２１０がスマートフォンであるとき、ディスプレイ２２０は、スマートフォン用のタッチスクリーン・ディスプレイであり得る。
【００３８】
クライアント・デバイス２１０は、掲載側クライアント・デバイス１０２、ブッキング側クライアント・デバイス１０４、又はその組合せのうちの任意のものを指し得る。本開示のために、クライアント・プロセッサ２１２は、掲載側クライアント・デバイス１０２、ブッキング側クライアント・デバイス１０４、又はその組合せのプロセッサを指し得る。更に、クライアント・メモリ２１４は、掲載側クライアント・デバイス１０２、ブッキング側クライアント・デバイス１０４、又はその組合せのメモリを指し得る。更に、クライアント通信ユニット２１６は、掲載側クライアント・デバイス１０２、ブッキング側クライアント・デバイス１０４、又はその組合せの通信ユニットを指し得る。更に、場所ユニット２１８は、掲載側クライアント・デバイス１０２、ブッキング側クライアント・デバイス１０４、又はその組合せの場所ユニット又はＧＰＳ受信機を指し得る。更に、ディスプレイ２２０は、掲載側クライアント・デバイス１０２、ブッキング側クライアント・デバイス１０４、又はその組合せのディスプレイを指し得る。
【００３９】
例えば、本明細書で開示するサーバ２００及びクライアント・デバイス２１０は、米国特許第９，３０５，３１０号において開示し論じるコンピューティング・システム及びモバイル・コンピューティング・デバイスのタイプを含み得、その特許の内容は、参照により本明細書にその全体が組込まれる。
【００４０】
図２Ｃは、駐車場センサ１０６が、センサ・プロセッサ２２４、センサ・メモリ２２６、センサ通信インタフェース２２８、近接性検出器２３０、ポータブル電源２３２、又はその組合せを含み得ることを示す。他の変形例において、駐車場センサ１０６は、全地球測位システム（ＧＰＳ）受信機を有するセンサ場所ユニット２３４、カメラ・ユニット２３６、又はその組合せを含み得る。センサ・プロセッサ２２４は、高速バス２２２を通してセンサ・メモリ２２６、センサ通信インタフェース２２８、近接性検出器２３０、ポータブル電源２３２、又はその組合せに結合され得る。
【００４１】
センサ・プロセッサ２２４は、一つ又は複数のＣＰＵ、ＧＰＵ、ＡＳＩＣ、ＦＰＧＡ、又はその組合せを含み得る。センサ・プロセッサ２２４は、センサ・メモリ２２６に記憶されるソフトウェアを実行して、本明細書で述べる方法、又は運用を実行し得る。センサ・プロセッサ２２４は、幾つかの異なる方式で実装され得る。例えば、センサ・プロセッサ２２４は、プロセッサ・コア、マイクロプロセッサ、ロジック回路、ＤＳＰ、又はその組合せを含み得る。より特定の例として、センサ・プロセッサ２２４は、ＡＲＭ（登録商標）プロセッサ等の１６ビット又は３２ビット・プロセッサを含み得る。
【００４２】
センサ・メモリ２２６は、ソフトウェア、データ、ログ、又はその組合せを記憶し得る。一変形例において、センサ・メモリ２２６は、内部メモリであり得る。別の変形例において、センサ・メモリ２２６は、外部記憶ユニットであり得る。センサ・メモリ２２６は、揮発性メモリ又は不揮発性メモリであり得る。例えば、センサ・メモリ２２６は、ＮＶＲＡＭ、フラッシュ・メモリ、ディスク・ストレージ等の不揮発性ストレージ、又は、ＳＲＡＭ等の揮発性ストレージであり得る。
【００４３】
センサ通信インタフェース２２８は、有線又は無線通信インタフェースであり得る。例えば、センサ通信インタフェース２２８は、駐車場センサ１０６のネットワーク・インタフェース・カードであり得る。センサ通信インタフェース２２８は、無線モデム又は有線モデムであり得る。一変形例において、センサ通信インタフェース２２８はＷｉＦｉモデムであり得る。他の変形例において、センサ通信インタフェース２２８は、３Ｇモデム、４Ｇモデム、ＬＴＥモデム、Ｂｌｕｅｔｏｏｔｈ（登録商標）コンポーネント、ラジオ受信機、アンテナ、又はその組合せであり得る。駐車場センサ１０６は、センサ通信インタフェース２２８を使用して通信ネットワーク１１８に接続され得る又は通信ネットワーク１１８に通信可能に結合され得る。駐車場センサ１０６は、センサ通信インタフェース２２８を使用してデータ・パケットの形態で情報又はメッセージを送信又は受信し得る。
【００４４】
近接性検出器２３０は、赤外線（ＩＲ）光送受信機、ＩＲ距離センサ、超音波送信機及び検出器、又はその組合せを含み得る。駐車場センサ１０６は、近接性検出器２３０を使用して、駐車場センサ１０６の或る近傍における車両の存在を検出し得る。例えば、駐車場センサ１０６は、車両のシャシ等の車両の一部分が近接性検出器２３０又はその中の一部分を覆う又は覆い隠すとき、車両が駐車場センサ１０６の近くにあることを検出し得る。別の変形例において、駐車場センサ１０６は、車両の一部が、駐車場センサ１０６によって放出される、反射される、又は受信される光波又は音波の挙動に影響を及ぼす又はそれに干渉するとき、車両の存在を検出し得る。
【００４５】
センサ場所ユニット２３４は、ＧＰＳ受信機等のＧＰＳコンポーネント、慣性ユニット、磁束計、コンパス、又はその組合せを含み得る。センサ場所ユニット２３４は、ＧＰＳ衛星からＧＰＳ信号を受信し得る。慣性ユニットは、３軸加速度計を含む多軸加速度計、３軸ＭＥＭＳジャイロスコープを含む多軸ジャイロスコープ、又はその組合せとして実装され得る。駐車場センサ１０６は、カメラ・ユニット２３６をも含み得る。カメラ・ユニット２３６は、静止画像、ビデオ画像、又はその組合せを取込み、その画像をセンサ・メモリ２２６に記憶し得る。
【００４６】
センサ・プロセッサ２２４は、高速バス２３８を通してセンサ・メモリ２２６、センサ通信インタフェース２２８、センサ場所ユニット２３４、近接性検出器２３０、及びカメラ・ユニット２３６に結合され得る。
【００４７】
図３Ａは、駐車場管理システム１００の掲載ユーザが、掲載側クライアント・デバイス１０２上に表示される新しい掲載グラフィカル・ユーザ・インタフェース（ＧＵＩ）３００にユーザ入力を適用することによって、レンタル又はリース用の駐車空間を掲載し得ることを示す。掲載ユーザは、新しい掲載ＧＵＩ３００の一部上に表示されるボタン又はリンクにユーザ入力を適用することによって駐車空間を掲載し得る。掲載ユーザは、ボタン又はリンクにユーザ入力を適用することに応答して、掲載要求３０４をアプリケーション・サーバ１１０に送信し得る。
【００４８】
掲載要求３０４は、ヘッダ及びペイロード（データ本体部分）を含む、伝送制御プロトコル（ＴＣＰ：ｔｒａｎｓｍｉｓｓｉｏｎ  ｃｏｎｔｒｏｌ  ｐｒｏｔｏｃｏｌ）パケット等の一つ又は複数の通信パケットとして送信され得る。掲載要求３０４は、ウェブ・サーバ１１２、アプリケーション・サーバ１１０、又はその組合せによって受信され、データベース１０８に記憶され得る。
【００４９】
新しい掲載ＧＵＩ３００は、アプリケーション３０２を通して参照され得る。一変形例において、アプリケーション３０２は、Ｘｃｏｄｅ（商標）プログラミング言語、Ｓｗｉｆｔ（商標）プログラミング言語、又はその組合せを使用して書かれ得る。他の変形例において、アプリケーション３０２は、Ｊａｖａ（商標）プログラミング言語、Ｏｂｊｅｃｔ−Ｃプログラミング言語、又はＣプログラミング言語を使用して書かれ得る。
【００５０】
図３Ｂは、掲載ユーザが、掲載情報ＧＵＩ３０６を通して駐車空間に関する情報を入力し得ることを示す。掲載ユーザは、駐車空間のタイプ３０８、掲載場所３１０、掲載価格３１２、利用可能性窓３１４、又はその組合せを入力し得る。駐車空間のタイプ３０８は、ドライブウェイ空間、住宅用又は商用ガレージ内の駐車空間、駐車場内の駐車空間、フロント・ヤード又はバック・ヤード空間、縁石空間、メータ制空間、又はその組合せを含み得る。
【００５１】
掲載場所３１０は、住宅、建物、又は駐車空間を提供する他の場所のアドレスを含み得る。掲載ユーザは、掲載情報ＧＵＩ３０６を通して掲載場所３１０についての地理的アドレスを手作業で入力し得る。この場合、アプリケーション・サーバ１１０は、地理的アドレスを、地理的情報システム（ＧＩＳ：Ｇｅｏｇｒａｐｈｉｃ  Ｉｎｆｏｒｍａｔｉｏｎ  Ｓｙｓｔｅｍ）データベース又はＧｏｏｇｌｅ  Ｍａｐｓ（登録商標）データベース等のマップ・データベースに送信し、地理的アドレスに対応する位置座標についてマップ・データベースに問合せ得る。アプリケーション・サーバ１１０は、その後、位置座標をデータベース１０８に記憶し得る。別の変形例において、ユーザは、掲載側クライアント・デバイス１０２の場所ユニット２１８を使用して、ユーザが掲載場所３１０にいるときに、掲載場所３１０についての位置座標を提供し得る。
【００５２】
記載価格３１２は、駐車空間についてユーザによって要求される１時間当たりレート又は価格を含み得る。利用可能性窓３１４は、駐車空間がレンタル又はリースのために利用可能であるときの時間窓であり得る。例えば、利用可能性窓３１４は、３０分から３０日の範囲に及び得る。掲載要求３０４は、駐車空間のタイプ３０８、掲載場所３１０、掲載価格３１２、利用可能性窓３１４、又はその組合せに関するデータを含み得る。
【００５３】
他の変形例において、掲載要求３０４は、駐車場センサ１０６から直接送信され得る。駐車場センサ１０６は、駐車場センサ１０６の近傍の駐車空間を車両が出庫（ｄｅｐａｒｔ）したことを駐車場センサ１０６が検出すると、掲載要求３０４をアプリケーション・サーバ１１０に自動的に送信し得る。例えば、駐車場センサ１０６は、掲載場所３１０、掲載価格３１２、利用可能性窓３１４、及び駐車空間のタイプ３０８をセンサ・メモリ２２６に関する情報を記憶するように構成され得る。駐車場センサ１０６は、空間が空になるとすぐに、こうしたデータ又は情報を含む掲載要求３０４を自動的に送信し得る。より特定の例として、駐車場センサ１０６は、住宅のドライブウェイに埋込まれるセンサであり得、駐車場センサ１０６は、ドライブウェイを直前に占有している車両がそのドライブウェイを空けるとすぐに、掲載要求３０４を送信し得る。
【００５４】
図４Ａは、駐車場管理システム１００のブッキング・ユーザが、予約要求ＧＵＩ４００を通して掲載ユーザによって掲載される駐車空間を予約し得ることを示す。ブッキング・ユーザは、地理的アドレスを手作業で入力することによって、所望のブッキング場所４０２内の駐車空間を予約し得る。更に、ブッキング・ユーザは、予約要求ＧＵＩ４００上に表示される現在場所アイコン４０４に入力を適用して、ブッキング側クライアント・デバイス１０４の現在の地理的座標を、アプリケーション・サーバ１１０、クラウド管理式データベース１０８、又はその組合せに送信するよう、ブッキング側クライアント・デバイス１０４の場所ユニット２１８に促し得る。更に、ブッキング・ユーザは、予約要求ＧＵＩ４００上に表示されるマップ・グラフィック４０８の一部分の周りに半径境界を描き得る。
【００５５】
予約要求ＧＵＩ４００は、リスト形態で且つマップ・グラフィック４０８上に重ねて駐車空間掲載物４０６を表示し得る。各空間掲載物４０６は、空間掲載物４０６に関連する、掲載場所３１０、掲載価格３１２、又は利用可能性窓３１４に関する情報を含み得る。ブッキング・ユーザが所望の駐車空間を見出すと、ブッキング・ユーザは、空間掲載物４０６を選択して、予約要求４１０を行い得る。例えば、ブッキング・ユーザは、空間掲載物４０６に関連するアイコンにユーザ入力を適用し、その後、予約ボタンを押して、予約要求４１０を行い得る。
【００５６】
図４Ｂは、駐車場管理システム１００を使用して予約が行われると、予約済み駐車空間４１４の現在の状態をブッキング・ユーザが閲覧し得ることを示す。ブッキング・ユーザは、予約状態ＧＵＩ４１２を通して予約の現在の状態を閲覧し得る。予約状態ＧＵＩ４１２は、予約期間４１８をカウントダウンするタイマ４１６を含み得る。他の変形例において、予約状態ＧＵＩ４１２は、予約の未収費用を表示し得る。ブッキング・ユーザは、出庫ボタンにユーザ入力を適用して、ブッキング車両４２２が、予約済み駐車空間４１４を出庫しつつある、又は、予約済み駐車空間４１４を出庫してしまったというステータス更新４２０を駐車場管理システム１００に送信し得る。
【００５７】
別の変形例において、ブッキング側クライアント・デバイス１０４は、予約期間４１８の失効に関する、駐車場管理システム１００からの一つ又は複数のメッセージ又は通知を受信し得る。例えば、メッセージは、ショート・メッセージ・サービス（ＳＭＳ：Ｓｈｏｒｔ  Ｍｅｓｓａｇｅ  Ｓｅｒｖｉｃｅ）メッセージ、マルチメディア・メッセージング・サービス（ＭＭＳ：Ｍｕｌｔｉｍｅｄｉａ  Ｍｅｓｓａｇｉｎｇ  Ｓｅｒｖｉｃｅ）メッセージ、又はその組合せ等のテキスト・メッセージを含み得る。メッセージは、アプリケーション３０２を開き、予約ステータスＧＵＩ４１２を表示するよう、ブッキング側クライアント・デバイス１０４に促すリンクを含み得る。リンクは、アプリケーション３０２の特定のページを開くようブッキング側クライアント・デバイス１０４に指令するディープ・リンキング・ユニフォーム・リソース・ロケータ（ＵＲＬ：ｕｎｉｆｏｒｍ  ｒｅｓｏｕｒｃｅ  ｌｏｃａｔｏｒ）アドレスであり得る。
【００５８】
他の変形例において、ブッキング車両４２２は自己運転車両１２８であり得、自己運転車両１２８の制御ユニット１２６は、ブッキング・ユーザからの入力なしで、予約要求４１０を自動的に送信し得る。予約要求４１０は、掲載場所３１０、掲載価格３１２、駐車空間のタイプ３０８、又はその組合せを含む、自己運転車両１２８の占有者（ｏｃｃｕｐａｎｔ）又は所有者によって所望される駐車空間に関するプリセット情報又はデータを含み得る。駐車場管理システム１００は、自己運転車両１２８の制御ユニット１２６から直接、予約要求４１０を受信し、掲載場所３１０、掲載価格３１２、掲載のタイプ３０８、又はその組合せに関するデータ又は情報について予約要求４１０を解釈し得る。駐車場管理システム１００は、その後、一つ又は複数のデータベース１０８をフィルタリングして、予約要求４１０に含まれる基準に整合する掲載物４０６を選択し得る。
【００５９】
駐車場管理システム１００は、同様に、ブッキング・ユーザからの入力なしで、自己運転車両１２８の制御ユニット１２６から直接、ステータス更新４２０を受信し得る。ステータス更新４２０は、自己運転車両１２８が、予約済み駐車空間４１４を出庫しつつある又は出庫してしまったことを示し得る。
【００６０】
掲載側クライアント・デバイス１０２、ブッキング側クライアント・デバイス１０４、駐車場センサ１０６、又はその組合せは、要求を送信する前に、掲載要求３０４又は予約要求４１０を含む要求を暗号化し得る。掲載側クライアント・デバイス１０２、ブッキング側クライアント・デバイス１０４、駐車場センサ１０６、又はその組合せは、セキュア・ハッシュ・アルゴリズム（ＳＨＡ：ｓｅｃｕｒｅ  ｈａｓｈ  ａｌｇｏｒｉｔｈｍ）等の暗号化プロトコルを使用して要求を暗号化し得る。暗号化プロトコルは、ＳＨＡ−２５６ハッシュ関数、ＳＨＡ−３８４ハッシュ関数、或は任意のタイプのＳＨＡ−２証明書又は関数であり得る。掲載側クライアント・デバイス１０２、ブッキング側クライアント・デバイス１０４、駐車場センサ１０６、又はその組合せは、暗号化済み要求を、通信ネットワーク１１８を通じて、コンピューティング・クラウド１２２内のサーバ又は他のデバイスに安全に送信し得る。
【００６１】
図５は、駐車場管理システム１００が、ブッキング側クライアント・デバイス１０４から受信されるステータス更新４２０に応答して、予約済み駐車空間４１４の近傍の駐車場センサ１０６に問合せて、ブッキング車両４２２の占有ステータスを確認し得ることを示す。例えば、アプリケーション・サーバ１１０は、駐車場センサ１０６に確認信号を送信し、センサ・メモリ２２６からの最新の近接性測定を要求し得る。アプリケーション・サーバ１００は、同様に、駐車場センサ１０６に確認信号を送信して、駐車場センサ１０６の近接性検出器２３０をアクティブ化し、リアルタイム近接性測定について駐車場センサ１０６に問合せ得る。
【００６２】
別の変形例において、駐車場管理システム１００は、駐車場センサ１０６のカメラ・ユニット２３６をアクティブ化し、予約済み駐車空間４１４を囲む環境の画像を取込むようカメラ・ユニット２３６に指示し得る。駐車場センサ１０６は、その後、一つ又は複数のプロセッサ２０２によって実行される画像認識プロトコルによって解析するため、一つ又は複数のアプリケーション・サーバ１１０に画像を送信し得る。
【００６３】
駐車場センサ１０６が、掲載側クライアント・デバイス１０２又はその中の所定の部分を指す変形例において、アプリケーション・サーバ１１０は、一つ又は複数のメッセージを掲載側クライアント・デバイス１０２に送信して、ブッキング車両４２２が、予約済み駐車空間４１４を出庫したことを確認し得る。
【００６４】
図６Ａは、データベース１０８が、一つ又は複数のデータベース表６００に、掲載場所３１０に関する位置データ６０２を記憶し得ることを示す。一つ又は複数のデータベース１０８は、Ｍｉｃｒｏｓｏｆｔ  Ａｚｕｒｅ（登録商標）データベース等のクラウド管理式ＳＱＬデータベースを含み得る。一つ又は複数のデータベース１０８は、コンピューティング・クラウド１２２のメモリ２０４に記憶され得る。
【００６５】
データベース１０８を管理することを担当する一つ又は複数のサーバは、ブッキング側クライアント・デバイス１０４から受信される地理的アドレスを有するマップ・データベースに問合せた後、Ｇｏｏｇｌｅ  Ｍａｐｓ（登録商標）データベース等のマップ・データベースから位置データ６０２を受信し得る。他の変形例において、ウェブ・サーバ１１２、アプリケーション・サーバ１１０、又はその組合せは、ブッキング側クライアント・デバイス１０４の位置ユニット２１８から直接、位置データ６０２を受信し得る。
【００６６】
位置データ６０２は、緯度及び経度座標を含み得る。例えば、位置データ６０２は、ユニバーサル・トランスバース・マーケイタ（ＵＴＭ：Ｕｎｉｖｅｒｓａｌ  Ｔｒａｖｅｒｓｅ  Ｍｅｒｃａｔｏｒ）座標系内の緯度及び経度座標を含み得る。
【００６７】
データベース１０８は、一つ又は複数のデータベース表６０４に、掲載場所３１０に関する位置データ６０２を記憶し得る。アプリケーション・サーバ１１０は、同様に、ブッキング側クライアント・デバイス１０４、自己運転車両１２８の制御ユニット１２６、又はその組合せから受信される掲載要求３０４を解釈し、駐車空間のタイプ３０８、掲載価格３１２、利用可能性窓３１４、又はその組合せに関するデータ又は情報を掲載側データベース表６０４に記憶し得る。
【００６８】
図６Ｂは、データベース１０８が、同様に、一つ又は複数の予約データベース表６０６を含み得ることを示す。予約データベース表６０６は、駐車空間のタイプ３０８、予約期間４１８、予約済み駐車空間４１４に関する位置データ６０２、又はその組合せを含む、予約要求４１０から取得されるデータ又は情報を含み得る。予約データベース表６０６は、同様に、予約済み駐車空間４１４の占有ステータス６０８、バッファ期間６１０、及び／又は、掲載側クライアント・デバイス１０２又は駐車場センサ１０６から受信されるタイムスタンプ６１２に基づく実際の駐車時間６１４に関するデータ又は情報を含み得る。
【００６９】
駐車場管理システム１００は、予約済み駐車空間４１４の近傍の一つ又は複数の駐車場センサ１０６に問合せる又は確認信号を送信することによって、予約済み駐車空間４１４の占有ステータス６０８を決定し得る。別の変形例において、駐車場管理システム１００は、掲載側クライアント・デバイス１０２から確認信号又はメッセージを受信することによって、予約済み駐車空間４１４の占有ステータス６０８を決定し得る。例えば、駐車場管理システム１００は、ブッキング車両４２２が予約済み駐車空間４１４を空けたことを確認するよう掲載ユーザに指令するリンクを含むテキスト・メッセージを掲載側クライアント・デバイス１０２に送信し得る。
【００７０】
駐車場管理システム１００は、同様に、予約データベース表６０６に記憶される予約要求４１０の予約期間４１８にバッファ期間６１０を付加し得る。駐車場管理システム１００は、予約期間４１８の長さに基づいてバッファ期間６１０を設定し得る。例えば、駐車場管理システム１００は、ブッキング・ユーザによって最初に要求される予約期間４１８の長さの半分としてバッファ期間６１０を設定し得る。別の変形例において、駐車場管理システム１００は、３０分を超える全ての予約について１時間のバッファ期間６１０を自動的に設定し得る。
【００７１】
駐車場管理システム１００は、ブッキング・ユーザが、バッファ期間６１０の終りまで予約期間４１８を延長することを可能にし得る。例えば、ブッキング・ユーザが、１時間の予約期間４１８を最初に要求するとき、駐車場管理システム１００は、この予約についてのバッファ期間６１０を３０分として自動的に設定し得る。この場合、駐車場管理システム１００は、ブッキング・ユーザが、１．５時間までの間、予約済み駐車空間４１４にユーザの車両を駐車することを可能にし得る。駐車場管理システム１００は、延長についての追加料金をブッキング・ユーザに請求し得る。バッファ期間６１０の終りに達するとすぐに、駐車場管理システム１００は、ブッキング・ユーザが予約期間４１８をそれ以上長く延長することを防止し、新しい予約要求４１０を始動するようブッキング・ユーザに要求し得る。
【００７２】
バッファ期間６１０が予約期間４１８に付加されると、駐車場管理システム１００は、予約期間４１８及びバッファ期間６１０の保留中に利用可能な又は非占有の駐車空間を掲載する任意のデータベース表において掲載物４０６がエントリとして現れないことを保証し得る。駐車場管理システム１００は、ブッキング側クライアント・デバイス１０４及び／又は全ての自己運転車両１２８の制御ユニット１２６から受信される全ての予約要求４１０にバッファ期間６１０を付加し得る。
【００７３】
データベース１０８は、同様に、掲載側クライアント・デバイス１０２、ブッキング側クライアント・デバイス１０４、駐車場センサ１０６、又はその組合せから受信されるタイムスタンプ６１２を記憶し得る。掲載側クライアント・デバイス１０２、駐車場センサ１０６、又はその組合せは、掲載要求３０４の送信に関連してタイムスタンプ６１２を送信し得る。ブッキング側クライアント・デバイス１０４は、予約要求４１０の送信に関連してタイムスタンプ６１２を送信し得る。駐車場センサ１０６、掲載側クライアント・デバイス１０２、又はその組合せは、同様に、ステータス更新４２０の送信に関連して、又は、予約済み駐車空間４１４の占有ステータス６０８が変化するときにタイムスタンプ６１２を送信し得る。
【００７４】
予約データベース表６０６は、同様に、受信されるタイムスタンプ６１２に基づいて実際の駐車時間６１４を記憶し得る。駐車場管理システム１００は、ブッキング車両４２２が予約済み駐車空間４１４を占有し、同じブッキング車両４２２が予約済み駐車空間４１４を空けるときに受信されるタイムスタンプ６１２に基づいて実際の駐車時間６１４を決定し得る。実際の駐車時間６１４は、予約要求４１０に含まれる予約期間４１８と異なり得る。
【００７５】
データベース表６００は、同様に、掲載カウント６１６及び予約カウント６１８の記録をつけ得る。掲載カウント６１６は、所与の期間中に駐車場管理システム１００を使用して掲載される駐車空間の数又は量に対応し得る。予約カウント６１８は、所与の期間中に駐車場管理システム１００を使用して予約される駐車空間の数又は量に対応し得る。例えば、掲載カウント６１６は、所与の期間内に駐車場管理システム１００によって受信される掲載要求３０４の数に対応し得る。予約カウント６１８は、所与の期間内に駐車場管理システム１００によって受信される予約要求４１０の数に対応し得る。駐車場管理システム１００は、受信される掲載要求３０４の数及び予約要求４１０の数に基づいて、掲載カウント６１６及び予約カウント６１８を含む一つ又は複数のデータベース表６００を絶えず更新し得る。
【００７６】
図７は、駐車場管理システム１００の一つ又は複数のプロセッサ２０２が、コンピューティング・クラウド１２２のメモリ２０４に記憶されるコンピュータ可読命令を実行して、推奨掲載価格（ｒｅｃｏｍｍｅｎｄｅｄ  ｌｉｓｔ  ｐｒｉｃｅ）７００を決定し得ることを示す。駐車場管理システム１００は、掲載側クライアント・デバイス１０２から受信される掲載要求３０４に応答して推奨掲載価格７００を決定し得る。
【００７７】
駐車場管理システム１００は、掲載側クライアント・デバイス１０２から受信される位置データ６０２に基づいて半径境界（ｒａｄｉｕｓ  ｂｏｕｎｄａｒｙ）７０２を最初に確立することによって推奨掲載価格７００を決定し得る。駐車場管理システム１００は、一つ又は複数のデータベース１０８に記憶される位置データ６０２を取出し、位置データ６０２の座標を中心ポイントとして使用して半径境界７０２を確立し得る。例えば、駐車場管理システム１００は、半径境界７０２を、１マイル又は１キロメートル半径の境界又は区画として確立し得る。駐車場管理システム１００は、半径境界７０２のサイズを、位置データ６０２が位置する自治体又は地理的領域のサイズ等の地理的基準に基づいて設定し得る。駐車場管理システム１００は、同様に、時刻、曜日、月、季節、又はその組合せに基づいて半径境界７０２を調整し得る。
【００７８】
駐車場管理システム１００は、その後、半径境界７０２及びプリセット期間（ｐｒｅｓｅｔ  ｔｉｍｅ  ｐｅｒｉｏｄ）７０４を使用して、一つ又は複数のデータベース１０８をフィルタリングし得る。プリセット期間７０４は、１０分から１０日の範囲に及び得る。他の変形例において、プリセット期間７０４は１１日以上であり得る。プリセット期間７０４は、駐車場管理システム１００の管理者によって調整され得る。駐車場管理システム１００は、プリセット期間７０４内に受信される全ての他の掲載要求３０４の半径境界７０２及び位置データ６０２を使用して一つ又は複数の掲載データベース表６０４をフィルタリングして、掲載カウント（ｌｉｓｔｉｎｇ  ｃｏｕｎｔ）６１６を決定し得る。駐車場管理システム１００は、同様に、プリセット期間７０４内に受信される全ての他の予約要求４１０の半径境界７０２及び位置データ６０２を使用して一つ又は複数の予約データベース表６０６をフィルタリングして、予約カウント（ｒｅｓｅｒｖａｔｉｏｎ  ｃｏｕｎｔ）６１８を決定し得る。
【００７９】
駐車場管理システム１００は、その後、掲載カウント６１６及び予約カウント６１８を使用してトランザクション・レート（ｔｒａｎｓａｃｔｉｏｎ  ｒａｔｅ）７０６を計算し得る。トランザクション・レート７０６は、掲載カウント６１６及び予約カウント６１８を合計することによって計算され得る。トランザクション・レート７０６は、掲載カウント６１６及び予約カウント６１８を合計して、総合カウントをもたらし、総合カウントをプリセット期間７０４で割ることによって計算され得る。トランザクション・レート７０６は、同様に、予約カウント６１８又は掲載カウント６１６と同等であり得る。駐車場管理システム１００は、トランザクション・レート７０６を一つ又は複数のデータベース表６００に記憶し、新しい掲載要求３０４が受信されると、トランザクション・レート７０６を更新し得る。
【００８０】
トランザクション・レート７０６は、同様に、予約カウント６１８と掲載カウント６１６の比をとることによって、又は、予約カウント６１８を掲載カウント６１６で割ることによって計算され得る。駐車場管理システム１００は、同様に、掲載カウント６１６、予約カウント６１８、又はその和のうちの任意のものに予約カウント６１８と掲載カウント６１６の比を加算することによってトランザクション・レート７０６を計算し得る。
【００８１】
駐車場管理システム１００は、その後、トランザクション・レート７０６を使用して掲載乗算子（ｌｉｓｔｉｎｇ  ｍｕｌｔｉｐｌｉｅｒ）７０８を計算し得る。駐車場管理システム１００は、トランザクション・レート７０６が第１のレート閾値（ｆｉｒｓｔ  ｒａｔｅ  ｔｈｒｅｓｈｏｌｄ）７１２を超えるとき、トランザクション・レート７０６に第１の対数関数（ｆｉｒｓｔ  ｌｏｇａｒｉｔｈｍｉｃ  ｆｕｎｃｔｉｏｎ）７１０を適用することによって掲載乗算子７０８を計算し得る。例えば、第１のレート閾値７１２は、１分当たり１０の掲載物及び／又は要求のレートであり得、駐車場管理システム１００は、トランザクション・レート７０６が第１のレート閾値７１２を超えるとき、トランザクション・レート７０６にｌｏｇ１０関数を適用し得る。トランザクション・レート７０６が第１のレート閾値７１２を超えないとき、駐車場管理システム１００は、トランザクション・レート７０６が第２のレート閾値（ｓｅｃｏｎｄ  ｒａｔｅ  ｔｈｒｅｓｈｏｌｄ）７１６を超えるとき、トランザクション・レート７０６に第２の対数関数（ｓｅｃｏｎｄ  ｌｏｇａｒｉｔｈｍｉｃ  ｆｕｎｃｔｉｏｎ）７１４を適用し得る。第１のレート閾値７１２は第２のレート閾値７１６と異なり得る。例えば、第１のレート閾値７１２は第２のレート閾値７１６より大きい可能性がある。第２の対数関数７１４は自然対数関数である。
【００８２】
駐車場管理システム１００は、掲載乗算子７０８を平均掲載価格（ａｖｅｒａｇｅ  ｌｉｓｔｉｎｇ  ｐｒｉｃｅ）７１８で乗算することによって推奨掲載価格（ｒｅｃｏｍｍｅｎｄｅｄ  ｌｉｓｔｉｎｇ  ｐｒｉｃｅ）７００を決定し得る。駐車場管理システム１００は、掲載データベース表６０４のフィルタリング済みインスタンス（具体的値）に記憶される掲載価格３１２の平均をとることによって平均掲載価格７１８を計算し得る。推奨掲載価格７００を計算した後、アプリケーション・サーバ１１０は、通信ネットワーク１１８を通じて掲載側クライアント・デバイス１０２に推奨掲載価格７００を送信し得る。
【００８３】
駐車場管理システム１００は、同様に、予約データベース表６０６のフィルタリング済みインスタンス（具体的値）に記憶される実際の駐車時間（ａｃｔｕａｌ  ｐａｒｋ  ｔｉｍｅｓ）６１４に基づいて平均駐車時間（ａｖｅｒａｇｅ  ｐａｒｋ  ｔｉｍｅ）７２０を決定し得る。駐車場管理システム１００は、その後、平均駐車時間７２０と同等の推奨利用可能時間（ｒｅｃｏｍｍｅｎｄｅｄ  ａｖａｉｌａｂｉｌｉｔｙ  ｔｉｍｅ）７２４を掲載側クライアント・デバイス１０２に送信し得る。他の変形例において、駐車場管理システム１００は、平均駐車時間７２０を乗算子で乗算して、推奨利用可能時間７２４をもたらし得る。
【００８４】
駐車場管理システム１００は、同様に、ブッキング・ユーザが、予約期間４１８の終りを過ぎて予約済み駐車空間４１４を占有することによってシステムを不正使用しないことを保証し得る。駐車場管理システム１００は、通信ネットワーク１１８を通じて、予約済み駐車空間４１４からのブッキング車両４２２の出庫又は出庫予定に関するステータス更新（ｓｔａｔｕｓ  ｕｐｄａｔｅ）４２０を受信し得る。
【００８５】
駐車場管理システム１００は、ステータス更新４２０を受信することに応答してブッキング車両４２２に関連するブッキング側クライアント・デバイス１０４のリアルタイム位置を決定し得る。駐車場管理システム１００は、Ｇｏｏｇｌｅ  Ｍａｐｓ（登録商標）データベース等のマップ・データベースに問合せることによってブッキング側クライアント・デバイス１０４のリアルタイム位置（ｒｅａｌ−ｔｉｍｅ  ｐｏｓｉｔｉｏｎ）７２４を決定し得る。別の変形例において、駐車場管理システム１００は、ブッキング側クライアント・デバイス１０４の場所ユニット２１８を直接追跡することによってブッキング側クライアント・デバイス１０４のリアルタイム位置７２４を決定し得る。
【００８６】
ブッキング側クライアント・デバイス１０４のリアルタイム位置７２４が、予約済み駐車空間４１４の掲載場所３１０の近傍にないとき、例えば、ブッキング側クライアント・デバイス１０４が半径境界７０２の外にあるとき、駐車場管理システム１００は、予約済み駐車空間４１４の近傍の駐車場センサ１０６に問合せて、予約済み駐車空間４１４の占有ステータス６０８を確認し得る。別の変形例において、駐車場管理システム１００は、ブッキング車両４２２の出庫を確認するためのユーザ入力を掲載ユーザが入力することを要求することによって、予約済み駐車空間４１４の占有ステータス６０８を確認するため掲載側クライアント・デバイス１０２に問合せ得る。他の変形例において、ブッキング車両４２２が自己運転車両１２８であるとき、駐車場管理システム１００は、自己運転車両１２８のリアルタイム位置について自己運転車両１２８の制御ユニット１２６に確認信号を送信し得る。
【００８７】
駐車場管理システム１００は、ペナルティ乗算子（ｐｅｎａｌｔｙ  ｍｕｌｔｉｐｌｉｅｒ）７２８を使用してペナルティ・レート（ｐｅｎａｌｔｙ  ｒａｔｅ）７２６を計算し得る。一変形例において、ペナルティ乗算子７２８は掲載乗算子７０８と同等であり得る。他の変形例において、ペナルティ乗算子７２８は掲載乗算子７０８より大きい、例えば、掲載乗算子７０８の２倍の値であってもよい。駐車場管理システム１００は、掲載価格３１２をペナルティ乗算子７２８で乗算することによってペナルティ・レート７２６を計算し得る。駐車場管理システム１００は、通信ネットワーク１１８を通じて、ペナルティ・レート７２６をブッキング側クライアント・デバイス１０４、掲載側クライアント・デバイス１０２、又はその組合せに送信し得る。
【００８８】
図８は、駐車場管理システム１００が、プリセット期間７０４内で駐車場管理システム１００によって受信される掲載要求３０４及び予約要求４１０に含まれるトランザクション・レート７０６及び位置データ６０２を使用して、因果的関心地点（ＰＯＩ：ｐｏｉｎｔ−ｏｆ−ｉｎｔｅｒｅｓｔ）８００を決定し得ることを示す。駐車場管理システム１００は、或る半径境界７０２内のトランザクション・レート７０６が、１分当たり五つの又は十の掲載物及び／又は要求等のレート閾値を超えるときに、因果的ＰＯＩ８００を決定し得る。半径境界７０２は、駐車場管理システム１００が第１の掲載要求３０４又は予約要求４１０を受信するときに確立され得る。
【００８９】
因果的ＰＯＩ８００は、因果的ＰＯＩ８００の近傍内の、駐車についての需要のサージ又は突然の増加をもたらす場所又は地域であり得る。例えば、因果的ＰＯＩ８００は、スポーツ・スタジアム、コンサート・ホール、ナイトクラブ、ムービー・シアター、ミュージアム、又はレストランを含み得る。因果的ＰＯＩ８００は、同様に、ファーマーズ・マーケットのサイト、政治集会のサイト、又はパレード・ルート等のイベントの場所を含み得る。
【００９０】
駐車場管理システム１００は、プリセット期間７０４内に受信される掲載要求３０４及び予約要求４１０の位置座標によって生成される多角形の重心を計算することによって、因果的ＰＯＩ８００を決定し得る。例えば、三つの予約要求４１０は６０秒期間内に受信され得、駐車場管理システム１００は、三つの予約要求４１０に含まれる三つの所望のブッキング場所４０２に頂点を有する三角形の重心を計算し得る。
【００９１】
駐車場管理システム１００は、同様に、要求軌跡８０２を使用して因果的ＰＯＩ８００を決定し得る。要求軌跡８０２は、ブッキング側クライアント・デバイス１０４を運ぶ車両又は他のモードの輸送の進行の軌跡又は方向であり得る。他の変形例において、要求軌跡８０２は、予約要求４１０を送信する自己運転車両１２８の進行の軌跡又は方向であり得る。
【００９２】
駐車場管理システム１００が、因果的ＰＯＩ８００の場所を決定すると、駐車場管理システム１００は、因果的ＰＯＩ８００の近傍のユーザ・クライアント・デバイスに一つ又は複数の通知、メッセージ、又は警報を送信して、駐車場管理システム１００を使用して駐車空間を掲載するよう、こうしたユーザに報知し得る。駐車場管理システム１００は、駐車場管理システム１００を使用して自分の駐車空間を以前に掲載したユーザのクライアント・デバイスに通知、メッセージ、又は警報を送信し得る。駐車場管理システム１００は、同様に、要求軌跡８０２に沿って又は因果的ＰＯＩ８００につながるルートに沿ってユーザ・クライアント・デバイスに通知、メッセージ、又は警報を送信し得る。
【００９３】
図９は、通信ネットワーク１１８を通じて駐車場予約を管理するコンピュータ実装式方法９００が、一つ又は複数のメモリ・ユニット２０４に記憶される一つ又は複数のデータベース１０８において、掲載場所３１０に関する位置データ６０２を受信することを含み得ることを示す。位置データ６０２又は掲載場所３１０のアドレスは、ステップ９０２にて、掲載側クライアント・デバイス１０２によって送信され得る。位置データ６０２又は掲載場所３１０のアドレスは、同様に、ステップ９０４にて、駐車場センサ１０６によって送信され得る。掲載側クライアント・デバイス１０２又は駐車場センサ１０６がアドレスを送信するとき、アプリケーション・サーバ１１０は、ステップ９０６にて、アドレスの位置座標についてマップ又はＧＩＳデータベースに問合せ得る。アプリケーション・サーバ１１０は、Ｇｏｏｇｌｅ  Ｍａｐｓ（登録商標）ＡＰＩ等のマップＡＰＩを通してマップ又はＧＩＳデータベースと相互作用し得る。
【００９４】
方法９００は、同様に、ステップ９０８にて、一つ又は複数のプロセッサ２０２を使用して、一つ又は複数のデータベース１０８に記憶される位置データ６０２に基づいて半径境界７０２を確立することを含み得る。方法９００は、同様に、ステップ９０１にて、一つ又は複数のプロセッサ２０２を使用して、半径境界７０２を使用して一つ又は複数のデータベース１０８をフィルタリングし、それにより、掲載される駐車空間の量を表す掲載カウント６１６及びプリセット期間７０４内に予約される駐車空間の量を表す予約カウント６１８を決定する、ことを含み得る。
【００９５】
方法９００は、同様に、ステップ９１２にて、一つ又は複数のプロセッサ１０８を使用して、掲載カウント６１６、予約カウント６１８、及びプリセット期間７０４を使用してトランザクション・レート７０６を計算し、トランザクション・レート７０６を一つ又は複数のデータベース１０８に記憶することを含み得る。方法９００は、同様に、ステップ９１４にて、平均掲載価格７１８を計算することを含み得る。方法９００は、同様に、ステップ９１６にて、掲載乗算子７０８を計算することを含み得る。方法９００は、一つ又は複数のプロセッサ１０８を使用して、平均掲載価格７１８及び掲載乗算子７０８に基づいて推奨掲載価格７００を決定することを含み得る。方法９００は、ステップ９２０にて、推奨掲載価格７００を、通信ネットワーク１１８を通じて掲載側クライアント・デバイス１０２に送信することを含み得る。
【００９６】
方法９００は、同様に、アプリケーション・サーバ１１０が、予約済み駐車空間４１４からのブッキング車両４２２の出庫に関するステータス更新４２０を受信することを含み得る。例えば、ブッキング側クライアント・デバイス１０４は、ステップ９２２にて、ステータス更新４２０を送信し得る。方法９００は、ステップ９２４にて、ステータス更新４２０を受信することに応答して、ブッキング側クライアント・デバイス１０４のリアルタイム位置７２４を決定することを含み得る。方法９００は、同様に、ステップ９２６にて、ステータス更新に応答して、予約済み駐車空間４１４の近傍の駐車場センサ１０６に問合せることであって、それにより、予約済み駐車空間４１４の占有ステータス６０８を確認する、問合せることを含み得る。方法９００は、同様に、ステップ９２８にて、ブッキング車両４２２が予約期間４１８の終りを超えて滞在したとシステムが判定すると、ペナルティ乗算子７２８を使用してペナルティ・レート７２６を計算することを含み得る。
【００９７】
本明細書で述べるシステム及び方法は、駐車場データ又は情報が、クラウド管理式データベースにおいて管理され記憶される方法の改善を提供する。更に、駐車場掲載物が付加され、予約要求が受信されるレートに対応するトランザクション・レート７０６に基づいて推奨掲載価格７００を計算することによって、システムは、静的在庫レベルに基づいて価格を推奨することに勝る、駐車場管理分野における改善を提供する。
【００９８】
幾つかの変形例が述べられた。それでも、変形例の精神及び範囲から逸脱することなく、種々の修正が行われてものよいことが当業者によって理解されるであろう。更に、図において述べるフローチャート又はロジック・フローは、所望の結果を達成するために、示す特定の順序又は連続的な順序を必要としない。更に、他のステップ又はオペレーションが提供されてもよく、又は、所定のステップ又はオペレーションが、述べるフローから削除されてもよく、また、他のコンポーネントが、述べるシステムに付加されてもよい又はそこから除去されてもよい。したがって、他の変形例は、添付特許請求の範囲内にある。
【００９９】
本明細書で開示する種々の方法が、機械、デバイス、又はコンピューティング・デバイスのプロセッサ又は処理ユニットによって、適合性のある、可読の、及び／又は実行可能な命令を含む、非一時的可読媒体、機械可読媒体、及び／又は機械アクセス可能媒体で具現化されてもよいことが当業者によって理解されるであろう。図における構造及びモジュールは、独特であり、且つ、他の構造ではなく、少数の特定の構造だけと通信するものとして示されてもよい。構造は、互いに併合されてもよく、オーバラップする機能を実施してもよく、図において接続されるものとして示されない他の構造と通信してもよい。したがって、本明細書及び／又は図面は、制限的な意味ではなく例証的な意味で考えられてもよい。
【図１】
2018514890.tif 000003
【図２Ａ】
2018514890.tif 000004
【図２Ｂ】
2018514890.tif 000005
【図２Ｃ】
2018514890.tif 000006
【図３Ａ】
2018514890.tif 000007
【図３Ｂ】
2018514890.tif 000008
【図４Ａ】
2018514890.tif 000009
【図４Ｂ】
2018514890.tif 000010
【図５】
2018514890.tif 000011
【図６Ａ】
2018514890.tif 000012
【図６Ｂ】
2018514890.tif 000013
【図７】
2018514890.tif 000014
【図８】
2018514890.tif 000015
【図９】
2018514890.tif 000016
【国際調査報告】
2018514890.tif 000017